(57)【要約】      （修正有）【課題】ＰＳＩＲ法に関する撮像において、撮像時間を短縮できるＭＲＩ装置を提供する。【解決手段】ＭＲＩ装置は、第１心周期で第１シーケンスＳ１を実行し、第１心周期に続く第２心周期で第２シーケンスＳ２を実行するシーケンス制御部を有する。第１シーケンスは、第１スライスを含み第１スライスより厚い第１領域に対して第１ＩＲパルスを印加し、第１スライスに関する第１ＭＲデータを収集し、核磁化回復に関する第１スポイラーパルスを第１領域に印加し、第１領域から離れた第２スライスに関する第２ＭＲデータの位相補正に用いられるリファレンスデータを第２スライスで収集する。第２シーケンスは、第２スライスを含み第２スライスより厚い第２領域に対して第２ＩＲパルスを印加し、第２スライスに関する第２ＭＲデータを収集し、第２スポイラーパルスを第２領域に印加し、第１ＭＲデータの位相補正に用いられるリファレンスデータを収集する。【選択図】図２
2019072081.tif 000002
【特許請求の範囲】
【請求項１】
第１スライスを含み前記第１スライスより厚い第１領域に対して第１ＩＲパルスを印加し、前記第１ＩＲパルスの印加後に前記第１スライスに関する第１ＭＲデータを収集し、前記第１ＭＲデータの収集後に核磁化の回復に関する第１スポイラーパルスを前記第１領域に印加し、前記第１スポイラーパルスの印加後に前記第１領域から離れた第２スライスに関する第２ＭＲデータの位相補正に用いられるリファレンスデータを収集する第１シーケンスを第１心周期において実行し、
前記第２スライスを含み前記第２スライスより厚い第２領域に対して第２ＩＲパルスを印加し、前記第２ＩＲパルスの印加後に前記第２ＭＲデータを収集し、前記第２ＭＲデータの収集後に第２スポイラーパルスを前記第２領域に印加し、前記第２スポイラーパルスの印加後に前記第１ＭＲデータの位相補正に用いられるリファレンスデータを収集する第２シーケンスを前記第１心周期に続く第２心周期で実行する、シーケンス制御部、
を具備する磁気共鳴イメージング装置。
【請求項２】
前記第１シーケンスは、前記第１ＭＲデータの収集の直前に前記第２ＭＲデータの位相補正に用いられる前記リファレンスデータを収集することをさらに有し
前記第２シーケンスは、前記第２ＭＲデータの収集の直前に前記第１ＭＲデータの位相補正に用いられる前記リファレンスデータを収集することをさらに有する、
請求項１に記載の磁気共鳴イメージング装置。
【請求項３】
第１スライスに対して第１ＩＲパルスを印加し、前記第１ＩＲパルスの印加後であって前記第１スライスに関する第１ＭＲデータの収集の直前に前記第１スライスから離れた第２スライスに関する第２ＭＲデータの位相補正に用いられるリファレンスデータを収集し、前記第１ＭＲデータを収集し、前記第１ＭＲデータの収集後に核磁化の回復に関する第１スポイラーパルスを前記第１スライスに印加し、前記第１スポイラーパルスの印加後に前記第２ＭＲデータの位相補正に用いられる前記リファレンスデータを再度収集する第１シーケンスを第１心周期において実行し、
前記第２スライスに対して第２ＩＲパルスを印加し、前記第２ＩＲパルスの印加後であって前記第２ＭＲデータの収集の直前に前記第１ＭＲデータの位相補正に用いられるリファレンスデータを収集し、前記第２ＭＲデータを収集し、前記第２ＭＲデータの収集後に第２スポイラーパルスを前記第２スライスに印加し、前記第２スポイラーパルスの印加後に前記第１ＭＲデータの位相補正に用いられる前記リファレンスデータを再度収集する第２シーケンスを前記第１心周期に続く第２心周期で実行する、シーケンス制御部、
を具備する磁気共鳴イメージング装置。
【請求項４】
前記シーケンス制御部は、
前記第１ＩＲパルスを、前記第１スライスを含み前記第１スライスより厚い第１領域に印加し、
前記第２ＩＲパルスを、前記第２スライスを含み前記第２スライスより厚い第２領域に印加する、
請求項３に記載の磁気共鳴イメージング装置。
【請求項５】
前記第１スライスは、複数のスライスに相当する厚みを有し、
前記第２スライスは、前記複数のスライスに相当する厚みを有し、
前記シーケンス制御部は、
前記第１ＭＲデータの収集時と前記第１ＭＲデータの位相補正に用いられる前記リファレンスデータの収集時とにおいて、前記第１スライスに応じた多周波数帯域のＲＦパルスを前記第１スライスに印加し、
前記第２ＭＲデータの収集時と前記第２ＭＲデータの位相補正に用いられる前記リファレンスデータの収集時とにおいて、前記第２スライスに応じた多周波数帯域のＲＦパルスを前記第２スライスに印加する、
請求項１、２、４のうちいずれか一項に記載の磁気共鳴イメージング装置。
【請求項６】
前記第１ＭＲデータの位相補正に用いられる２つの前記リファレンスデータの平均を計算することで第１平均データを生成し、前記第１平均データを用いて前記第１ＭＲデータに対する位相補正を実行することで第１実画像を生成し、
前記第２ＭＲデータの位相補正に用いられる２つの前記リファレンスデータの平均を計算することで第２平均データを生成し、前記第２平均データを用いて前記第２ＭＲデータに対する位相補正を実行することで第２実画像を生成する、画像生成部、
をさらに具備する請求項２乃至４のうちいずれか一項に記載の磁気共鳴イメージング装置。
【請求項７】
第１スライスに対して第１ＩＲパルスを印加し、前記第１ＩＲパルスの印加後に第１フリップ角を用いて前記第１スライスに関する第１ＭＲデータを収集し、前記第１ＭＲデータの収集後に核磁化の回復に関する第１スポイラーパルスを前記第１スライスに印加する第１シーケンスを第１心周期において実行し、
前記第１スライスから離れた第２スライスに対して第２ＩＲパルスを印加し、前記第２ＩＲパルスの印加後に前記第１フリップ角を用いて前記第２スライスに関する第２ＭＲデータを収集し、前記第２ＭＲデータの収集後に第２スポイラーパルスを前記第２スライスに印加し、前記第２スポイラーパルスの印加後に前記第１フリップ角以上の第２フリップ角を用いて前記第１ＭＲデータの位相補正に用いられるリファレンスデータを収集する第２シーケンスを前記第１心周期に続く第２心周期で実行し、
前記第１スライスおよび前記第２スライスから離れた第３スライスに対して第３ＩＲパルスを印加し、前記第３ＩＲパルスの印加後に前記第１フリップ角を用いて前記第３スライスに関する第３ＭＲデータを収集し、前記第３ＭＲデータの収集後に第３スポイラーパルスを前記第３スライスに印加し、前記第３スポイラーパルスの印加後に前記第２フリップ角を用いて前記第２ＭＲデータの位相補正に用いられるリファレンスデータを収集する第３シーケンスを前記第２心周期に続く第３心周期で実行し、
前記第３心周期に続く第４心周期のうち前記第３スポイラーパルスの印加の直後の心時相において、前記第２フリップ角を用いて、前記第３ＭＲデータの位相補正に用いられるリファレンスデータを収集する第４シーケンスを実行する、シーケンス制御部、
を具備する磁気共鳴イメージング装置。
【請求項８】
前記シーケンス制御部は、
前記第１ＩＲパルスを、前記第１スライスを含み前記第１スライスより厚い第１領域に印加し、
前記第２ＩＲパルスを、前記第２スライスを含み前記第２スライスより厚い第２領域に印加し、
前記第３ＩＲパルスを、前記第３スライスを含み前記第３スライスより厚い第３領域に印加する、
請求項７に記載の磁気共鳴イメージング装置。
【請求項９】
前記第１スライスは、複数のスライスに相当する厚みを有し、
前記第２スライスは、前記複数のスライスに相当する厚みを有し、
前記第３スライスは、前記複数のスライスに相当する厚みを有し、
前記シーケンス制御部は、
前記第１ＭＲデータの収集時と前記第１ＭＲデータの位相補正に用いられる前記リファレンスデータの収集時とにおいて、前記第１スライスに応じた多周波数帯域のＲＦパルスを前記第１スライスに印加し、
前記第２ＭＲデータの収集時と前記第２ＭＲデータの位相補正に用いられる前記リファレンスデータの収集時とにおいて、前記第２スライスに応じた多周波数帯域のＲＦパルスを前記第２スライスに印加し、
前記第３ＭＲデータの収集時と前記第３ＭＲデータの位相補正に用いられる前記リファレンスデータの収集時とにおいて、前記第３スライスに応じた多周波数帯域のＲＦパルスを前記第３スライスに印加する、
請求項８に記載の磁気共鳴イメージング装置。
【請求項１０】
前記第２シーケンスは、前記第２ＭＲデータの収集の直前に前記第１ＭＲデータの位相補正に用いられる前記リファレンスデータを収集することをさらに有し、
前記第３シーケンスは、前記第３ＭＲデータの収集の直前に前記第２ＭＲデータの位相補正に用いられる前記リファレンスデータを収集することをさらに有し、
前記第４シーケンスは、前記第４心周期のうち前記第３ＭＲデータの収集タイミングの心時相の直前の心時相において、前記第３ＭＲデータの位相補正に用いられる前記リファレンスデータを収集することをさらに有する、
請求項７乃至９のうちいずれか一項に記載の磁気共鳴イメージング装置。
【発明の詳細な説明】
【技術分野】
【０００１】
本発明の実施形態は、磁気共鳴イメージング装置に関する。
【背景技術】
【０００２】
磁気共鳴イメージング（Ｍａｇｎｅｔｉｃ  Ｒｅｓｏｎａｎｃｅ  Ｉｍａｇｉｎｇ：以下、ＭＲＩと呼ぶ）装置は、Ｐｈａｓｅ  Ｓｅｎｓｉｔｉｖｅ  Ｉｎｖｅｒｓｉｏｎ  Ｒｅｃｏｖｅｒｙ(以下、ＰＳＩＲ（位相感応性反転回復）と呼ぶ)法による撮像を行う場合、一つ目のＲ波をトリガとして画像データを収集し、続いて２つ目のＲ波をトリガとしてリファレンスデータを収集する。リファレンスデータの収集は、ＭＲデータの収集後の縦磁化が熱平衡状態に略回復後、実行される。ＭＲＩ装置は、リファレンスデータを用いてＭＲデータの位相を補正し、実画像（Ｒｅａｌ画像）を生成する。ＰＳＩＲ法は、被検体の心臓を撮像対象として用いられることが多いため、息止め撮像となる。
【０００３】
従来のＰＳＩＲ法における撮像手順では、１枚の実画像を得るために２心拍に亘ってデータの収集が必要となるため、撮像時間が長くなるという問題点がある。撮像時間の増加は、息止め時間の増加および息止め回数の増加となるため、被検体に対する負担の増加、および画質への影響が懸念される。
【先行技術文献】
【特許文献】
【０００４】
【特許文献１】特開２００６−８１７０４号公報
【非特許文献】
【０００５】
【非特許文献１】Ｐｅｔｅｒ  Ｋｅｌｌｍａｎ  ｅｔ  ａｌ．，  “Ｐｈａｓｅ−Ｓｅｎｓｉｔｉｖｅ  Ｉｎｖｅｒｓｉｏｎ  Ｒｅｃｏｖｅｒｙ  ｆｏｒ  Ｄｅｔｅｃｔｉｎｇ  Ｍｙｏｃａｒｄｉａｌ  Ｉｎｆａｒｃｔｉｏｎ  Ｕｓｉｎｇ  Ｇａｄｏｌｉｎｉｕｍ−Ｄｅｌａｙｅｄ  Ｈｙｐｅｒｅｎｈａｎｃｅｍｅｎｔ”  Ｍａｇｎｅｔｉｃ  Ｒｅｓｏｎａｎｃｅ  ｉｎ  Ｍｅｄｉｃｉｎｅ  ３７２−３８３，  （２００２）：４７（２）
【発明の概要】
【発明が解決しようとする課題】
【０００６】
目的は、ＰＳＩＲ法に関する撮像において、撮像時間を短縮することにある。
【課題を解決するための手段】
【０００７】
本実施形態に係る磁気共鳴イメージング装置は、第１シーケンスを第１心周期において実行し、第２シーケンスを前記第１心周期に続く第２心周期で実行するシーケンス制御部を有する。第１シーケンスの実行により、シーケンス制御部は、第１スライスを含み前記第１スライスより厚い第１領域に対して第１ＩＲパルスを印加し、前記第１ＩＲパルスの印加後に前記第１スライスに関する第１ＭＲデータを収集し、前記第１ＭＲデータの収集後に核磁化の回復に関する第１スポイラーパルスを前記第１領域に印加し、前記第１スポイラーパルスの印加後に前記第１領域から離れた第２スライスに関する第２ＭＲデータの位相補正に用いられるリファレンスデータを収集する。第２シーケンスの実行により、シーケンス制御部は、前記第２スライスを含み前記第２スライスより厚い第２領域に対して第２ＩＲパルスを印加し、前記第２ＩＲパルスの印加後に前記第２ＭＲデータを収集し、前記第２ＭＲデータの収集後に第２スポイラーパルスを前記第２領域に印加し、前記第２スポイラーパルスの印加後に前記第１ＭＲデータの位相補正に用いられるリファレンスデータを収集する。
【図面の簡単な説明】
【０００８】
【図１】図１は、第１の実施形態に係る磁気共鳴イメージング装置の構成を示す図である。
【図２】図２は、第１の実施形態において実行されるＰＳＩＲ法に関するシーケンスの一例を示す図である。
【図３】図３は、第１の実施形態における動作の処理手順の一例を示す図である。
【図４】図４は、第１の実施形態において、第１シーケンスおよび第２シーケンスにおける各種パルスおよび各種シーケンスが実行される領域の一例を示す図である。
【図５】図５は、第１の実施形態の応用例において、第１収集シーケンスと第２リファレンス収集シーケンスとにおいて、マルチバンド撮像が実施されるスライスの一例を示す図である。
【図６】図６は、第２の実施形態において実行されるＰＳＩＲ法に関するシーケンスの一例を示す図である。
【図７】図７は、第２の実施形態における動作の処理手順の一例を示す図である。
【図８】図８は、第３の実施形態において実行されるＰＳＩＲ法に関するシーケンスの一例を示す図である。
【図９】図９は、第３の実施形態における動作の処理手順の一例を示す図である。
【発明を実施するための形態】
【０００９】
以下、添付図面を用いて、実施形態に係る磁気共鳴イメージング装置を説明する。なお、以下の説明において、略同一の機能及び構成を有する構成要素については、同一符号を付し、重複説明は必要な場合にのみ行う。
【００１０】
（第１の実施形態）  
図１を用いて、本実施形態におけるＭＲＩ装置１００の全体構成について説明する。図１は、本実施形態におけるＭＲＩ装置１００の構成を示す図である。図１に示すように、ＭＲＩ装置１００は、静磁場磁石１０１と、傾斜磁場コイル１０３と、傾斜磁場電源１０５と、寝台１０７と、寝台制御回路１０９と、送信回路（送信部）１１３と、送信コイル１１５と、受信コイル１１７と、受信回路（受信部）１１９と、シーケンス制御回路（シーケンス制御部）１２１と、バス１２３と、インタフェース（入力部）１２５と、ディスプレイ（表示部）１２７と、記憶装置（記憶部）１２９と、処理回路（処理部）１３１とを備える。なお、ＭＲＩ装置１００は、静磁場磁石１０１と傾斜磁場コイル１０３との間において中空の円筒形状のシムコイルを有していてもよい。
【００１１】
静磁場磁石１０１は、中空の略円筒形状に形成された磁石である。なお、静磁場磁石１０１は、略円筒形状に限らず、開放型の形状で構成されてもよい。静磁場磁石１０１は、内部の空間に一様な静磁場を発生する。静磁場磁石１０１としては、例えば、超伝導磁石等が使用される。
【００１２】
傾斜磁場コイル１０３は、中空の円筒形状に形成されたコイルである。傾斜磁場コイル１０３は、静磁場磁石１０１の内側に配置される。傾斜磁場コイル１０３は、互いに直交するＸ、Ｙ、Ｚの各軸に対応する３つのコイルが組み合わされて形成される。Ｚ軸方向は、静磁場の方向と同方向であるとする。また、Ｙ軸方向は、鉛直方向とし、Ｘ軸方向は、Ｚ軸及びＹ軸に垂直な方向とする。傾斜磁場コイル１０３における３つのコイルは、傾斜磁場電源１０５から個別に電流供給を受けて、Ｘ、Ｙ、Ｚの各軸に沿って磁場強度が変化する傾斜磁場を発生させる。
【００１３】
傾斜磁場コイル１０３によって発生するＸ、Ｙ、Ｚ各軸の傾斜磁場は、例えば、スライス選択用傾斜磁場、位相エンコード用傾斜磁場および周波数エンコード用傾斜磁場（リードアウト傾斜磁場ともいう）を形成する。スライス選択用傾斜磁場は、撮像断面を決めるために利用される。位相エンコード用傾斜磁場は、空間的位置に応じて磁気共鳴（Ｍａｇｎｅｔｉｃ  Ｒｅｓｏｎａｎｃｅ：以下、ＭＲと呼ぶ）信号の位相を変化させるために利用される。周波数エンコード用傾斜磁場は、空間的位置に応じてＭＲ信号の周波数を変化させるために利用される。
【００１４】
傾斜磁場電源１０５は、シーケンス制御回路１２１の制御により、傾斜磁場コイル１０３に電流を供給する電源装置である。
【００１５】
寝台１０７は、被検体Ｐが載置される天板１０７１を備えた装置である。寝台１０７は、寝台制御回路１０９による制御のもと、被検体Ｐが載置された天板１０７１を、ボア１１１内へ挿入する。寝台１０７は、例えば、長手方向が静磁場磁石１０１の中心軸と平行になるように、本ＭＲＩ装置１００が設置された検査室内に設置される。
【００１６】
寝台制御回路１０９は、寝台１０７を制御する回路であり、インタフェース１２５を介した操作者の指示により寝台１０７を駆動することで、天板１０７１を長手方向および上下方向へ移動させる。
【００１７】
送信回路１１３は、シーケンス制御回路１２１の制御により、ラーモア周波数等に対応する高周波パルス（ＲＦ（Ｒａｄｉｏ  Ｆｒｅｑｕｅｎｃｙ）パルス）を送信コイル１１５に供給する。
【００１８】
送信コイル１１５は、傾斜磁場コイル１０３の内側に配置されたＲＦコイルである。送信コイル１１５は、送信回路１１３からＲＦパルスの供給を受けて、高周波磁場に相当する送信ＲＦ波を発生する。送信コイルは、例えば、全身用コイル（ｗｈｏｌｅ  ｂｏｄｙ  ｃｏｉｌ：ＷＢコイル）である。ＷＢコイルは、送受信コイルとして使用されてもよい。
【００１９】
受信コイル１１７は、傾斜磁場コイル１０３の内側に配置されたＲＦコイルである。受信コイル１１７は、高周波磁場によって被検体Ｐから放射されるＭＲ信号を受信する。受信コイル１１７は、受信されたＭＲ信号を受信回路１１９へ出力する。受信コイル１１７は、例えば、１以上、典型的には複数のコイルエレメントを有するコイルアレイである。なお、図１において送信コイル１１５と受信コイル１１７とは別個のＲＦコイルとして記載されているが、送信コイル１１５と受信コイル１１７とは、一体化された送受信コイルとして実施されてもよい。送受信コイルは、被検体Ｐの撮像対象に対応し、例えば、頭部コイルのような局所的な送受信ＲＦコイルである。
【００２０】
受信回路１１９は、シーケンス制御回路１２１の制御により、受信コイル１１７から出力されたＭＲ信号に基づいて、デジタル化された複素数データであるデジタルのＭＲ信号を生成する。具体的には、受信回路１１９は、受信コイル１１７から出力されたＭＲ信号に対して各種信号処理を施した後、各種信号処理が施されたデータに対してアナログ/デジタル（Ａ／Ｄ（Ａｎａｌｏｇ  ｔｏ  Ｄｉｇｉｔａｌ））変換を実行する。受信回路は１１９は、Ａ／Ｄ変換されたデータを標本化（サンプリング）する。これにより、受信回路１１９は、デジタルのＭＲ信号（以下、ＭＲデータと呼ぶ）を生成する。受信回路１１９は、生成されたＭＲデータを、シーケンス制御回路１２１に出力する。
【００２１】
シーケンス制御回路１２１は、処理回路１３１から出力された撮像プロトコルに従って、傾斜磁場電源１０５、送信回路１１３及び受信回路１１９等を制御し、被検体Ｐに対する撮像を行う。撮像プロトコルは、検査に応じた各種パルスシーケンスを有する。撮像プロトコルには、傾斜磁場電源１０５により傾斜磁場コイル１０３に供給される電流の大きさ、傾斜磁場電源１０５により電流が傾斜磁場コイル１０３に供給されるタイミング、送信回路１１３により送信コイル１１５に供給されるＲＦパルスの大きさ、送信回路１１３により送信コイル１１５にＲＦパルスが供給されるタイミング、受信コイル１１７によりＭＲ信号が受信されるタイミング等が定義されている。
【００２２】
バス１２３は、インタフェース１２５と、ディスプレイ１２７と、記憶装置１２９と、処理回路１３１との間でデータを伝送させる伝送路である。バス１２３には、ネットワーク等を介して、各種生体信号計測器、外部記憶装置、各種モダリティなどが適宜接続されてもよい。例えば、生体信号計測器として、不図示の心電計がバスに接続される。
【００２３】
インタフェース１２５は、操作者からの各種指示や情報入力を受け付ける回路を有する。インタフェース１２５は、例えば、マウス等のポインティングデバイス、あるいはキーボード等の入力デバイスに関する回路を有する。なお、インタフェース１２５が有する回路は、マウス、キーボードなどの物理的な操作部品に関する回路に限定されない。例えば、インタフェース１２５は、本ＭＲＩ装置１００とは別体に設けられた外部の入力機器から入力操作に対応する電気信号を受け取り、受け取った電気信号を種々の回路へ出力するような電気信号の処理回路を有していてもよい。
【００２４】
ディスプレイ１２７は、処理回路１３１におけるシステム制御機能１３１１による制御のもとで、画像生成機能により生成された各種ＭＲ画像、撮像および画像処理に関する各種情報などを表示する。ディスプレイ１２７は、例えば、ＣＲＴディスプレイや液晶ディスプレイ、有機ＥＬディスプレイ、ＬＥＤディスプレイ、プラズマディスプレイ、又は当技術分野で知られている他の任意のディスプレイ、モニタ等の表示デバイスである。
【００２５】
記憶装置１２９は、画像生成機能１３１３を介してｋ空間に充填されたＭＲデータ、画像生成機能１３１３により生成された画像データ等を記憶する。記憶装置１２９は、各種撮像プロトコル、撮像プロトコルを規定する複数の撮像パラメータを含む撮像条件等を記憶する。記憶装置１２９は、処理回路１３１で実行される各種機能に対応するプログラムを記憶する。記憶装置１２９は、例えば、ＲＡＭ（Ｒａｎｄｏｍ  Ａｃｃｅｓｓ  Ｍｅｍｏｒｙ）、フラッシュメモリ等の半導体メモリ素子、ハードディスクドライブ（ｈａｒｄ  ｄｉｓｋ  ｄｒｉｖｅ）、ソリッドステートドライブ（ｓｏｌｉｄ  ｓｔａｔｅ  ｄｒｉｖｅ）、光ディスク等である。また、記憶装置１２９は、ＣＤ−ＲＯＭドライブやＤＶＤドライブ、フラッシュメモリ等の可搬性記憶媒体との間で種々の情報を読み書きする駆動装置等であってもよい。
【００２６】
処理回路１３１は、ハードウェア資源として図示していないプロセッサ、ＲＯＭ（Ｒｅａｄ−Ｏｎｌｙ  Ｍｅｍｏｒｙ）やＲＡＭ等のメモリ等を有し、本ＭＲＩ装置１００を統括的に制御する。処理回路１３１は、システム制御機能１３１１、画像生成機能１３１３を有する。システム制御機能１３１１、画像生成機能１３１３にて行われる各種機能は、コンピュータによって実行可能なプログラムの形態で記憶装置１２９へ記憶されている。処理回路１３１は、これら各種機能に対応するプログラムを記憶装置１２９から読み出し、実行することで各プログラムに対応する機能を実現するプロセッサである。換言すると、各プログラムを読みだした状態の処理回路１３１は、図１の処理回路１３１内に示された複数の機能等を有することになる。
【００２７】
なお、図１においては単一の処理回路１３１にてこれら各種機能が実現されるものとして説明したが、複数の独立したプロセッサを組み合わせて処理回路１３１を構成し、各プロセッサがプログラムを実行することにより機能を実現するものとしても構わない。換言すると、上述のそれぞれの機能がプログラムとして構成され、１つの処理回路が各プログラムを実行する場合であってもよいし、特定の機能が専用の独立したプログラム実行回路に実装される場合であってもよい。なお、処理回路１３１が有するシステム制御機能１３１１、画像生成機能１３１３は、それぞれシステム制御部、画像生成部の一例である。
【００２８】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００２９】
プロセッサは、記憶装置１２９に保存されたプログラムを読み出し実行することで各種機能を実現する。なお、記憶装置１２９にプログラムを保存する代わりに、プロセッサの回路内にプログラムを直接組み込むよう構成しても構わない。この場合、プロセッサは回路内に組み込まれたプログラムを読み出し実行することで機能を実現する。なお、寝台制御回路１０９、送信回路１１３、受信回路１１９、シーケンス制御回路１２１等も同様に、上記プロセッサなどの電子回路により構成される。
【００３０】
処理回路１３１は、システム制御機能１３１１により、ＭＲＩ装置１００を制御する。具体的には、処理回路１３１は、記憶装置１２９に記憶されているシステム制御プログラムを読み出してメモリ上に展開し、展開されたシステム制御プログラムに従って本ＭＲＩ装置１００の各回路を制御する。例えば、処理回路１３１は、システム制御機能１３１１により、インタフェース１２５を介して操作者から入力される撮像条件に基づいて、撮像プロトコルを記憶装置１２９から読み出す。なお、処理回路１３１は、撮像条件に基づいて、撮像プロトコルを生成してもよい。処理回路１３１は、撮像プロトコルをシーケンス制御回路１２１に送信し、被検体Ｐに対する撮像を制御する。
【００３１】
処理回路１３１は、画像生成機能１３１３により、リードアウト傾斜磁場の強度に従って、ｋ空間のリードアウト方向に沿ってＭＲデータを充填する。処理回路１３１は、ｋ空間に充填されたＭＲデータに対してフーリエ変換を行うことにより、ＭＲ画像を生成する。例えば、処理回路１３１は、複素のＭＲデータから絶対値（Ｍａｇｎｉｔｕｄｅ）画像を生成することが可能である。また、処理回路１３１は、複素のＭＲデータにおける実部データと虚部データとを用いて位相画像を生成することが可能である。処理回路１３１は、絶対値画像および位相画像などのＭＲ画像を、ディスプレイ１２７や記憶装置１２９に出力する。
【００３２】
以上が本実施形態に係るＭＲＩ装置１００の全体構成についての説明である。以下、本ＭＲＩ装置１００において実行されるシーケンスについて説明する。本実施形態におけるＰＳＩＲ法に関して具体的に説明するために、本ＭＲＩ装置１００において実行されるシーケンスが適用される撮像対象部位は、造影剤が投与された心臓であるものとする。ＰＳＩＲ法は、反転時間（ｉｎｖｅｒｓｉｏｎ  ｔｉｍｅ：ＴＩ）の設定が不要な遅延造影ＭＲＩである。ＰＳＩＲ法は、予め造影剤が投与された心臓において、正常心筋における縦緩和時間と障害心筋の縦緩和時間との差異（Ｔ１コントラスト）を強調した画像を取得する撮像シーケンスである。心筋の障害とは、例えば梗塞である。なお、本ＭＲＩ装置１００において実行されるシーケンスが適用される撮像対象部位は、心臓に限定されず、他の撮像対象部位であってもよい。シーケンス制御回路１２１は、隣接する２つの心周期のうち一つ目の心周期において第１シーケンスを実行し、一つ目の心周期に続く２つ目の心周期において第２シーケンスを実行する。第１シーケンスおよび第２シーケンスに係る撮像プロトコルは、記憶装置１２９に記憶される。第１シーケンスおよび第２シーケンスについては、後程詳述する。
【００３３】
図２は、本実施形態において実行されるＰＳＩＲ法に関するシーケンスの一例を示す図である。図２における（ａ）は、心電計により取得された被検体Ｐの心電図(ＥＣＧ:ｅｌｅｃｔｒｏｃａｒｄｉｏｇｒａｍ)の波形（以下、心電波形と呼ぶ）を示している。図２の（ａ）におけるＣＣ１は、隣接する２つのＲ波で挟まれた第１心周期を示している。図２の（ａ）におけるＣＣ２は、第１心周期ＣＣ１に続く第２心周期を示している。シーケンス制御回路１２１は、第１心周期ＣＣ１において第１シーケンスＳ１を実行し、第２心周期ＣＣ２において第２シーケンスＳ２を実行する。
【００３４】
図２における（ｂ）は、反転回復パルス（Ｉｎｖｅｒｓｉｏｎ  Ｒｅｃｏｖｅｒｙ  パルス：以下、ＩＲパルスと呼ぶ）を被検体Ｐに印加するタイミングを示している。ＩＲパルスは、ＩＲパルスが印加された領域における核磁化を反転させるパルスである。ＩＲパルスの印加タイミングは、例えば、以下のようにして設定される。まず、正常心筋の縦磁化がＩＲパルスにより反転された時点から、正常心筋の縦磁化がゼロとなる時点までの期間（以下、回復期間とよぶ）が設定される。次いで、拡張期の開始時点から回復期間だけ遡った時点における心周期の時相（以下、特定時相と呼ぶ）が特定される。１心周期において、Ｒ波から特定時相までの時間（以下、所定時間と呼ぶ）が決定される。所定時間は、記憶装置１２９に記憶される。ＩＲパルスの印加タイミングは、複数の心周期各々において、Ｒ波から所定時間経過後に設定される。
【００３５】
図２における（ｃ）は、第１スライスにおける縦磁化Ｍｚ１の時間変化を示している。
【００３６】
図２における（ｄ）は、第１スライスを含み第１スライスより厚い第１領域から離れた第２スライスにおける縦磁化Ｍｚ２の時間変化を示している。例えば、心基部および心底部を含む領域と心尖部を含む領域とにより被検体Ｐの心臓に関する領域を２分した場合、第１領域は、例えば、心基部および心底部を含む領域に対応する。また、心尖部を含む領域は、第２スライスを含み第２スライスより厚い第２領域に対応する。
【００３７】
以下、第１心周期ＣＣ１においてシーケンス制御回路１２１により実行される第１シーケンスＳ１について説明する。第１シーケンスＳ１は、第１ＩＲパルスＩＲ１と、第１収集シーケンスＭ１と、第１スポイラーパルスＳｐ１と、第２リファレンス収集シーケンスＲ２とを有する。
【００３８】
第１ＩＲパルスＩＲ１は、第１領域における核磁化を反転させるＲＦパルスである。第１ＩＲパルスＩＲ１は、第１心周期ＣＣ１において、Ｒ波から所定時間が経過した時刻ｔ１で、第１領域に印加される。
【００３９】
第１収集シーケンスＭ１は、第１心周期ＣＣ１における第１ＩＲパルスＩＲ１の印加後に、第１スライスに関する画像用のＭＲデータ（以下、第１ＭＲデータと呼ぶ）を収集するシーケンスである。第１収集シーケンスＭ１で実行されるシーケンスとしては、例えば、フリップ角を小さくして、短い繰り返し時間（ｒｅｐｅｔｉｔｉｏｎ  ｔｉｍｅ：ＴＲ）で撮像するグラディエントエコー法が用いられる。例えば、２次元的にセグメント化されたＦＬＡＳＨ（２Ｄ  ｓｅｇｍｅｎｔｅｄ  ＦＬＡＳＨ（ｆａｓｔ  ｌｏｗ  ａｎｇｌｅ  ｓｈｏｔ））法などである。
【００４０】
第１スポイラーパルスＳｐ１は、第１領域における核磁化を回復させるスポイラーパルスである。第１心周期ＣＣ１における第１収集シーケンスＭ１の実行後に、第１スポイラーパルスＳｐ１は、第１領域に印加される。第１スポイラーパルスＳｐ１は、例えば、グラディエントスポイリングに関する傾斜磁場スポイラである。なお、第１スポイラーパルスＳｐ１は、傾斜磁場スポイラに限定されず、例えば、縦磁化Ｍｚを強制回復させるＲＦパルス（以下、ＲＦスポイラと呼ぶ）であってもよい。また、第１スポイラーパルスＳｐ１として、傾斜磁場スポイラとＲＦスポイラとが併用して用いられてもよい。
【００４１】
第２リファレンス収集シーケンスＲ２は、第１心周期ＣＣ１における第１スポイラーパルスＳｐ１の印加後に、第２スライスにおいてリファレンスデータ（以下、第２リファレンスデータと呼ぶ）を収集するシーケンスである。第２リファレンスデータは、後述する第２収集シーケンスＭ２により収集された画像用のＭＲデータ（以下、第２ＭＲデータと呼ぶ）および第２リファレンスデータの位相補正に用いられる。位相補正については、後程詳述する。第２リファレンス収集シーケンスＲ２は、第１収集シーケンスＭ１におけるフリップ角より小さいフリップ角で、かつ収集タイミングおよびスライス位置が異なることを除いて第１収集シーケンスＭ１と同様なシーケンスである。
【００４２】
以下、第２心周期ＣＣ２においてシーケンス制御回路１２１により実行される第２シーケンスＳ２について説明する。第２シーケンスＳ２は、第２ＩＲパルスＩＲ２と、第２収集シーケンスＭ２と、第２スポイラーパルスＳｐ２と、第１リファレンス収集シーケンスＲ１とを有する。
【００４３】
第２ＩＲパルスＩＲ２は、第２領域における核磁化を反転させるＲＦパルスである。第２ＩＲパルスＩＲ２は、第２心周期ＣＣ２において、Ｒ波から所定時間が経過した時刻ｔ２で、第２領域に印加される。
【００４４】
第２収集シーケンスＭ２は、第２心周期ＣＣ２における第２ＩＲパルスＩＲ２の印加後に、第２スライスに関する第２ＭＲデータを収集するシーケンスである。第２収集シーケンスＭ２は、心周期およびスライス位置が異なることを除いて第１収集シーケンスＭ１と同様なシーケンスである。
【００４５】
第２スポイラーパルスＳｐ２は、第２領域における核磁化を回復させるスポイラーパルスである。第２スポイラーパルスＳｐ２は、第２心周期ＣＣ２における第２収集シーケンスＭ２の実行後に、第２領域に印加される。第２スポイラーパルスＳｐ２は、心周期および印加領域が異なることを除いて第１スポイラーパルスＳｐ１と同様なパルスである。
【００４６】
第１リファレンス収集シーケンスＲ１は、第２心周期ＣＣ２における第２スポイラーパルスＳｐ２の印加後に、第１スライスにおいてリファレンスデータ（以下、第１リファレンスデータと呼ぶ）を収集するシーケンスである。第１リファレンスデータは、第１ＭＲデータおよび第１リファレンスデータの位相補正に用いられる。第１リファレンス収集シーケンスＲ１は、心周期およびスライス位置が異なることを除いて第２リファレンス収集シーケンスＲ２と同様なシーケンスである。
【００４７】
（動作）  
図３および図４を参照して、本実施形態における動作の処理手順について説明する。図３は、本実施形態における動作の処理手順の一例を示す図である。図４は、第１シーケンスＳ１および第２シーケンスＳ２における各種パルスおよび各種シーケンスが実行される領域の一例を示す図である。図４における（ａ）は、第１ＩＲパルスＩＲ１が印加される第１領域Ｒｅ１を斜線で示している。図４における（ｂ）は、第１ＭＲデータが収集される第１スライスＳＬ１と、第２リファレンスデータが収集される第２スライスＳＬ２とを示している。図４における（ｃ）は、第２ＩＲパルスＩＲ２が印加される第２領域Ｒｅ２を斜線で示している。図４における（ｄ）は、第１リファレンスデータが収集される第１スライスＳＬ１と、第２ＭＲデータが収集される第２スライスＳＬ２とを示している。
【００４８】
（ステップＳａ１）  
シーケンス制御回路１２１は、第１シーケンスＳ１の実行により、第１心周期ＣＣ１において第１ＭＲデータと第２リファレンスデータとを収集する。具体的には、図２、図４に示すように、シーケンス制御回路１２１は、第１心周期ＣＣ１における最初のＲ波の検出時刻（ｔ０）から所定時間経過後の時刻ｔ１において第１ＩＲパルスＩＲ１を第１領域Ｒｅ１に印加するために、送信回路１１３を制御する。図４の（ａ）に示すように、第１ＩＲパルスＩＲ１は、非選択なＩＲパルスではなく、第１スライスＳＬ１に選択的に印加される選択的なＩＲパルスである。図４の（ａ）に示すように、第１領域Ｒｅ１の厚みは、撮像対象部位において、画像化される第１スライスＳＬ１より厚い。
【００４９】
シーケンス制御回路１２１は、図２および図４に示すように、第１心周期ＣＣ１の略拡張期において第１収集シーケンスＭ１を実行し、第１スライスＳＬ１に関する第１ＭＲデータを収集する。第１ＭＲデータの収集後に、シーケンス制御回路１２１は、第１領域Ｒｅ１に第１スポイラーパルスＳｐ１を印加するために、送信回路１１３と傾斜磁場電源１０５とのうち少なくとも一方を制御する。第１スポイラーパルスＳｐ１の印加後、シーケンス制御回路１２１は、第２リファレンス収集シーケンスＲ２を実行し、第２スライスＳＬ２に関する第２リファレンスデータを収集する。シーケンス制御回路１２１は、第１ＭＲデータと第２リファレンスデータとを処理回路１３１へ出力する。
【００５０】
（ステップＳａ２）  
シーケンス制御回路１２１は、第２シーケンスＳ２の実行により、第２心周期ＣＣ２において第２ＭＲデータと第１リファレンスデータとを収集する。具体的には、図２、図４に示すように、シーケンス制御回路１２１は、第２心周期ＣＣ２における最初のＲ波（または第１心周期ＣＣ１における最後のＲ波）の検出時刻から所定時間経過後の時刻ｔ２において第２ＩＲパルスＩＲ２を第２領域Ｒｅ２に印加するために、送信回路１１３を制御する。図４の（ｃ）に示すように、第２ＩＲパルスＩＲ２は、第１ＩＲパルスＩＲ１と同様に、非選択なＩＲパルスではなく、第２スライスＳＬ２に選択的に印加される選択的なＩＲパルスである。図４の（ｃ）に示すように、第２領域Ｒｅ２の厚みは、撮像対象部位において、画像化される第２スライスＳＬ２より厚い。
【００５１】
図２の（ｄ）および図４の（ｄ）に示すように、シーケンス制御回路１２１は、第２心周期ＣＣ２の略拡張期において第２収集シーケンスＭ２を実行し、第２スライスＳＬ２に関する第２ＭＲデータを収集する。第２ＭＲデータの収集後に、シーケンス制御回路１２１は、第２領域Ｒｅ２に対して第２スポイラーパルスＳｐ２を印加するために、送信回路１１３と傾斜磁場電源１０５とのうち少なくとも一方を制御する。第２スポイラーパルスＳｐ２の印加後、シーケンス制御回路１２１は、第１リファレンス収集シーケンスＲ１を実行し、第１スライスＳＬ１に関する第１リファレンスデータを収集する。シーケンス制御回路１２１は、第２ＭＲデータと第１リファレンスデータとを処理回路１３１へ出力する。
【００５２】
（ステップＳａ３）  
処理回路１３１は、画像生成機能１３１３により、第１リファレンスデータに基づいて、第１位相補正用データを生成する。処理回路１３１は、第２リファレンスデータに基づいて第２位相補正用データを生成する。第１位相補正用データは、第１スライスＳＬ１に関して、受信コイル１１７等に起因する位相歪み（位相誤差）をキャンセルするための重みに相当する。第２位相補正用データは、第２スライスＳＬ２に関して、受信コイル１１７等に起因する位相歪み（位相誤差）をキャンセルするための重みに相当する。具体的には、処理回路１３１は、第１リファレンスデータと第１リファレンスデータの複素共役と予め計測されたノイズ分散とを用いて、第１位相補正用データを生成する。処理回路１３１は、第２リファレンスデータと第２リファレンスデータの複素共役と上記ノイズ分散とを用いて、第２位相補正用データを生成する。
【００５３】
（ステップＳａ４）  
処理回路１３１は、画像生成機能１３１３により、第１位相補正用データを用いて、第１ＭＲデータおよび第１リファレンスデータ各々に対して位相補正を実行する。処理回路１３１は、第２位相補正用データを用いて、第２ＭＲデータおよび第２リファレンスデータ各々に対して位相補正を実行する。本ステップの処理における位相補正により、第１ＭＲデータ、第２ＭＲデータ、第１リファレンスデータ、第２リファレンスデータ各々において、位相誤差がキャンセルされる。
【００５４】
（ステップＳａ５）  
処理回路１３１は、画像生成機能１３１３により、位相補正後の第１リファレンスデータを用いて、位相補正後の第１ＭＲデータから位相情報を除去する。処理回路１３１は、位相補正後の第２リファレンスデータを用いて、位相補正後の第２ＭＲデータから位相情報を除去する。具体的には、処理回路１３１は、位相補正後の第１リファレンスデータにおける実成分と虚成分とを用いて、第１位相情報を計算する。次いで、処理回路１３１は、位相補正後の第１ＭＲデータから第１位相情報を取り除く。位相補正後の第１ＭＲデータから第１位相情報が取り除かれたデータ（以下、第１位相除去データと呼ぶ）の実部分において、第１ＭＲデータにおける信号の極性は保持される。処理回路１３１は、位相補正後の第２リファレンスデータにおける実成分と虚成分とを用いて、第２位相情報を計算する。次いで、処理回路１３１は、位相補正後の第２ＭＲデータから第２位相情報を取り除く。位相補正後の第２ＭＲデータから第２位相情報が取り除かれたデータ（以下、第２位相除去データと呼ぶ）の実部分において、第２ＭＲデータにおける信号の極性は保持される。
【００５５】
（ステップＳａ６）  
処理回路１３１は、画像生成機能１３１３により、第１位相除去データにおける実成分を用いて第１実画像を再構成する。処理回路１３１は、第２位相除去データにおける実成分を用いて第２実画像を再構成する。なお、本ステップにおいて、処理回路１３１は、受信コイル１１７の感度マップを用いて、第１実画像および第２実画像に対して受信コイル１１７の感度むらに対する補正を実行してもよい。
【００５６】
処理回路１３１は、第１実画像および第２実画像を、ディスプレイ１２７および記憶装置１２９等に出力する。ディスプレイ１２７は、第１実画像および第２実画像を表示する。記憶装置１２９は、第１実画像および第２実画像を記憶する。なお、ステップＳａ１乃至ステップＳａ６の処理は、適宜繰り返されてもよい。また、ステップＳａ１乃至ステップＳａ６の処理は、撮像対象部位において操作者が所望する複数のスライスに対応する複数の実画像が得られるまで、適宜繰り返されてもよい。
【００５７】
以上に述べた構成によれば、以下に示す効果を得ることができる。  
本実施形態に係るＭＲＩ装置１００によれば、第１スライスＳＬ１を含み第１スライスＳＬ１より厚い第１領域Ｒｅ１に対して第１ＩＲパルスＩＲ１を印加し、第１ＩＲパルスＩＲ１の印加後に第１スライスＳＬ１に関する第１ＭＲデータを収集し、第１ＭＲデータの収集後に核磁化の回復に関する第１スポイラーパルスＳｐ１を第１領域Ｒｅ１に印加し、第１スポイラーパルスＳｐ１の印加後に第１領域Ｒｅ１から離れた第２スライスＳＬ２に関する第２ＭＲデータのための第２リファレンスデータを収集する、第１シーケンスＳ１を第１心周期ＣＣ１において実行することができる。次いで、本ＭＲＩ装置１００によれば、第２スライスＳＬ２を含み第２スライスＳＬ２より厚い第２領域Ｒｅ２に対して第２ＩＲパルスＩＲ２を印加し、第２領域Ｒｅ２に対する第２ＩＲパルスＩＲ２の印加後に第２ＭＲデータを収集し、第２ＭＲデータの収集後に第２スポイラーパルスＳｐ２を第２領域Ｒｅ２に印加し、第２スポイラーパルスＳｐ２の印加後に第１ＭＲデータのための第１リファレンスデータを収集する、第２シーケンスＳ２を第２心周期ＣＣ２で実行することができる。
【００５８】
以上のことから、本実施形態におけるＭＲＩ装置１００によれば、ＰＳＩＲ法に関する撮像において、撮像時間を短縮することができる。加えて、本ＭＲＩ装置１００によれば、第１領域Ｒｅ１に対して第１ＩＲパルスＩＲ１を印加し、かつ第２領域Ｒｅ２に対して第２ＩＲパルスＩＲ２を印加することができるため、ＩＲパルスを確実に撮像対象のスライスに印加することができる。このため、本ＭＲＩ装置１００によれば、被検体Ｐ内において撮像期間中に撮像対象部位が動く場合において、撮像対象のスライスに選択的にＩＲパルスを印加する場合に比べて、ＩＲパルスの印加位置のズレにより撮像時間が延長することを回避することができる。
【００５９】
（応用例）  
第１の実施形態との相違は、第１、第２収集シーケンス（Ｍ１、Ｍ２）、および第１、第２リファレンス収集シーケンス（Ｒ１、Ｒ２）において、多スライス同時撮像（以下：マルチバンド撮像と呼ぶ）を実行することにある。以下、マルチバンド撮像について、図５を用いて説明する。図５は、第１収集シーケンスＭ１と第２リファレンス収集シーケンスＲ２とにおいて、マルチバンド撮像が実施されるスライスの一例を示す図である。
【００６０】
図５における（ａ）は、第１ＩＲパルスＩＲ１が印加される第１領域Ｒｅ１を斜線で示している。図５における（ｂ）は、第１ＭＲデータが収集される第１スライスＳＬ１に含まれる複数のスライス（ＳＬ１−１、ＳＬ１−２）と、第２リファレンスデータが収集される第２スライスＳＬ２に含まれる複数のスライス（ＳＬ２−１、ＳＬ２−２）とを示している。
【００６１】
以下、説明を具体的にするために、図５に示すように、第１領域Ｒｅ１および第２領域Ｒｅ２には、４つのスライスが包含されるものとする。また、第１スライスＳＬ１および第２スライスＳＬ２は、２つ分のスライス厚を有するものとする。なお、第１スライスＳＬ１および第２スライスＳＬ２に包含されるスライスの数は、図５に示す２つに限定されず、３以上のスライスであってもよい。また、第１領域Ｒｅ１および第２領域Ｒｅ２に包含されるスライスの数は、４つに限定されず、４以上のスライスであってもよい。
【００６２】
シーケンス制御回路１２１は、例えば、インタフェース１２５を介した操作者の指示により、マルチバンド撮像が実施される第１、第２スライス（ＳＬ１、ＳＬ２）の厚みを設定する。設定された厚みは、複数のスライス（ＳＬ１−１およびＳＬ１−２、ＳＬ２−１およびＳＬ２−２）を包含する厚みに相当する。なお、マルチバンド撮像に関する厚みは、デフォルトとして、第１、第２シーケンス（Ｓ１、Ｓ２）に関連付けられて、記憶装置１２９に記憶されてもよい。
【００６３】
シーケンス制御回路１２１は、設定された複数のスライスによる厚み、ボア１１１における複数のスライスの位置と、スライス選択用傾斜磁場とに基づいて、第１、第２収集シーケンス（Ｍ１、Ｍ２）、および第１、第２リファレンス収集シーケンス（Ｒ１、Ｒ２）において用いられるＲＦパルスの多周波数帯域を決定する。なお、マルチバンド撮像におけるＲＦパルスの多周波数帯域は、デフォルトとして、第１、第２シーケンス（Ｓ１、Ｓ２）に関連付けられて、記憶装置１２９に記憶されてもよい。
【００６４】
シーケンス制御回路１２１は、第１収集シーケンスＭ１の実行により、スライスＳＬ１−１とスライスＳＬ１−２とを含む第１スライスＳＬ１に対して、多周波数帯域のＲＦパルスを印加する。シーケンス制御回路１２１は、第２リファレンス収集シーケンスＲ２の実行により、スライスＳＬ２−１とスライスＳＬ２−２とを第２スライスＳＬ２に対して、多周波数帯域のＲＦパルスを印加する。
【００６５】
シーケンス制御回路１２１は、第２収集シーケンスＭ２の実行により、スライスＳＬ２−１とスライスＳＬ２−２とを含む第２スライスＳＬ２に対して、多周波数帯域のＲＦパルスを印加する。シーケンス制御回路１２１は、第１リファレンス収集シーケンスＲ１の実行により、スライスＳＬ１−１とスライスＳＬ１−２とを含む第１スライスＳＬ１に対して、多周波数帯域のＲＦパルスを印加する。
【００６６】
処理回路１３１は、画像生成機能１３１３により、受信コイル１１７の感度マップを用いて、第１ＭＲデータを、スライスＳＬ１−１およびスライスＳＬ１−２各々に対応するＭＲデータに分離する。処理回路１３１は、受信コイル１１７の感度マップを用いて、第２リファレンスデータを、スライスＳＬ２−１およびスライスＳＬ２−２各々に対応するリファレンスデータに分離する。処理回路１３１は受信コイル１１７の感度マップを用いて、第２ＭＲデータを、スライスＳＬ２−１およびスライスＳＬ２−２各々に対応するＭＲデータに分離する。処理回路１３１は、受信コイル１１７の感度マップを用いて、第１リファレンスデータを、スライスＳＬ１−１およびスライスＳＬ１−２各々に対応するリファレンスデータに分離する。処理回路１３１は、図３におけるステップＳａ３乃至Ｓａ６にかかる処理をスライスＳＬ１−１、スライスＳＬ１−２、スライスＳＬ２−２、およびスライスＳＬ２−２毎に実行し、スライスＳＬ１−１、スライスＳＬ１−２、スライスＳＬ２−２、およびスライスＳＬ２−２各々の実画像を生成する。
【００６７】
以上に述べた構成によれば、第１の実施形態における効果に加えて以下に示す効果を得ることができる。  
本実施形態に係るＭＲＩ装置１００によれば、第１スライスＳＬ１が複数のスライスに相当する厚みを有し、第２スライスＳＬ２が複数のスライスに相当する厚みを有し、第１ＭＲデータの収集時と第１リファレンスデータの収集時とにおいて、第１スライスＳＬ１に応じた多周波数帯域のＲＦパルスを第１スライスＳＬ１に印加し、第２ＭＲデータの収集時と第２リファレンスデータの収集時とにおいて、第２スライスＳＬ２に応じた多周波数帯域のＲＦパルスを第２スライスＳＬ２に印加することができる。これにより、本実施形態におけるＭＲＩ装置１００によれば、ＰＳＩＲ法に関する撮像において、多スライスを同時に撮像することができ、第１の実施形態に比べて撮像時間をさらに短縮することができる。
【００６８】
（第２の実施形態）  
第１の実施形態および応用例との相違は、第１心周期ＣＣ１における第１ＭＲデータの収集の直前に第２リファレンスデータを第２スライスＳＬ２においてさらに収集し、第２心周期ＣＣ２における第２ＭＲデータの収集の直前に第１リファレンスデータを第１スライスＳＬ１においてさらに収集することにある。また、第１の実施形態および応用例とにおける更なる相違は、第１ＩＲパルスＩＲ１および第１スポイラーパルスＳｐ１が第１スライスＳＬ１に選択的に印加され、第２ＩＲパルスＩＲ２および第２スポイラーパルスＳｐ２が第２スライスＳＬ２に選択的に印加されることにある。
【００６９】
図６は、本実施形態において実行されるＰＳＩＲ法に関するシーケンスの一例を示す図である。図６における（ａ）は、心電計により取得された被検体Ｐの心電波形を示している。図６における（ｂ）は、第１ＩＲパルスＩＲ１と第２ＩＲパルスＩＲ２とを被検体Ｐに印加するタイミングを示している。図６における（ｃ）は、第１スライスＳＬ１における縦磁化Ｍｚ１の時間変化を示している。図６における（ｄ）は、第２スライスＳＬ２における縦磁化Ｍｚ２の時間変化を示している。
【００７０】
第１シーケンスＳ１は、図６に示すように、第１ＭＲデータの収集の直前に第２スライスＳＬ２において第２リファレンスデータを収集する第２−１リファレンス収集シーケンスＲ２−１をさらに有する。第２シーケンスＳ２は、図６に示すように、第２ＭＲデータの収集の直前に第１スライスＳＬ１において第１リファレンスデータを収集する第１−１リファレンス収集シーケンスＲ１−１をさらに有する。本実施形態における第２−２リファレンス収集シーケンスＲ２−２は、第１の実施形態における第２リファレンス収集シーケンスＲ２に対応する。本実施形態における第１−２リファレンス収集シーケンスＲ１−２は、第１の実施形態における第１リファレンス収集シーケンスＲ１に対応する。
【００７１】
第２−２リファレンス収集シーケンスＲ２−２と、第２−１リファレンス収集シーケンスＲ２−１との相違は、第１心周期ＣＣ１における収集タイミングが異なることにある。第１シーケンスＳ１における第２−１リファレンス収集シーケンスＲ２−１の開始時点は、第１収集シーケンスＭ１の開始時点から第２−２リファレンス収集シーケンスＲ２−２の実行期間だけ遡った時点の心時相であって、第１心周期ＣＣ１における最初のＲ波と対応付けられる。第２−１リファレンス収集シーケンスＲ２−１の開始時点は、記憶装置１２９に第１シーケンスＳ１とともに記憶される。
【００７２】
第１−２リファレンス収集シーケンスＲ１−２と、第１−１リファレンス収集シーケンスＲ１−１との相違は、第２心周期ＣＣ２における収集タイミングが異なることにある。第２シーケンスＳ２における第１−１リファレンス収集シーケンスＲ１−１の開始時点は、第２収集シーケンスＭ２の開始時点から第１−２リファレンス収集シーケンスＲ１−２の実行期間だけ遡った時点の心時相であって、第２心周期ＣＣ２における最初のＲ波と対応付けられる。第１−１リファレンス収集シーケンスＲ１−１の開始時点は、記憶装置１２９に第２シーケンスＳ２とともに記憶される。
【００７３】
（動作）  
図６および図７を参照して、本実施形態における動作の処理手順について説明する。図７は、本実施形態における動作の処理手順の一例を示す図である。本動作において、第１の実施形態と相違する処理について説明する。
【００７４】
（ステップＳｂ１）  
シーケンス制御回路１２１は、第１シーケンスＳ１の実行により、第１心周期ＣＣ１において、第１ＭＲデータと２つの第２リファレンスデータとを収集する。具体的には、図６の（ｂ）に示すように、シーケンス制御回路１２１は、第１心周期ＣＣ１における最初のＲ波をトリガとして、時刻ｔ１において第１ＩＲパルスＩＲ１を第１スライスＳＬ１に印加するために、送信回路１１３を制御する。本実施形態における第１ＩＲパルスＩＲ１は、第１スライスＳＬ１に選択的に印加される選択的なＩＲパルスである。
【００７５】
シーケンス制御回路１２１は、第１心周期ＣＣ１において、Ｒ波をトリガとして第２−１リファレンス収集シーケンスＲ２−１を実行することにより、１つ目の第２リファレンスデータを収集する。シーケンス制御回路１２１は、１つ目の第２リファレンスデータの収集に後に、第１ＭＲデータを収集する。第１ＭＲデータの収集後に第１スポイラーパルスＳｐ１を第１スライスＳＬ１に印加するために、シーケンス制御回路１２１は、送信回路１１３と傾斜磁場電源１０５とのうち少なくとも一方を制御する。シーケンス制御回路１２１は、第１スポイラーパルスＳｐ１の印加後に第２−２リファレンス収集シーケンスＲ２−２を実行することにより、２つ目の第２リファレンスデータを収集する。シーケンス制御回路１２１は、収集された２つの第２リファレンスデータを処理回路１３１へ出力する。
【００７６】
（ステップＳｂ２）  
シーケンス制御回路１２１は、第２シーケンスＳ２の実行により、第２心周期ＣＣ２において、第２ＭＲデータと２つの第１リファレンスデータとを収集する。具体的には、図６の（ｂ）に示すように、シーケンス制御回路１２１は、第２心周期ＣＣ２における最初のＲ波（または第１心周期ＣＣ１における最後のＲ波）をトリガとして、時刻ｔ２において第２ＩＲパルスＩＲ２を第２スライスＳＬ２に印加するために、送信回路１１３を制御する。本実施形態における第２ＩＲパルスＩＲ２は、第２スライスＳＬ２に選択的に印加される選択的なＩＲパルスである。
【００７７】
シーケンス制御回路１２１は、第２心周期ＣＣ２において、Ｒ波をトリガとして第１−１リファレンス収集シーケンスＲ１−１を実行することにより、１つ目の第１リファレンスデータを収集する。シーケンス制御回路１２１は、１つ目の第１リファレンスデータの収集後に、第２ＭＲデータを収集する。第２ＭＲデータの収集後に第２スポイラーパルスＳｐ２を第２スライスＳＬ２に印加するために、シーケンス制御回路１２１は、送信回路１１３と傾斜磁場電源１０５とのうち少なくとも一方を制御する。シーケンス制御回路１２１は、第２スポイラーパルスＳｐ２の印加後に第１−２リファレンス収集シーケンスＲ１−２を実行することにより、２つ目の第１リファレンスデータを収集する。シーケンス制御回路１２１は、収集された２つの第１リファレンスデータを処理回路１３１へ出力する。
【００７８】
（ステップＳｂ３）  
処理回路１３１は、画像生成機能１３１３により、第１スライスＳＬ１に関する２つの第１リファレンスデータの平均を計算することにより、第１平均データを生成する。第１平均データは、例えば、２つの第１リファレンスデータにおける位相成分を平均化したデータである。なお、第１平均データは、２つの第１リファレンスデータにおける強度成分を重み付け加算することにより生成されてもよい。
【００７９】
（ステップＳｂ４）  
処理回路１３１は、画像生成機能１３１３により、第２スライスＳＬ２に関する２つの第２リファレンスデータの平均を計算することにより、第２平均データを生成する。第２平均データは、例えば、２つの第２リファレンスデータにおける位相成分を平均化したデータである。なお、第２平均データは、２つの第２リファレンスデータにおける強度成分を重み付け加算することにより生成されてもよい。
【００８０】
（ステップＳｂ５）  
処理回路１３１は、画像生成機能１３１３により、第１平均データに基づいて、第１位相補正用データを生成する。処理回路１３１は、第２平均データに基づいて、第２位相補正用データを生成する。
【００８１】
（ステップＳｂ６）  
処理回路１３１は、画像生成機能１３１３により、第１位相補正用データを用いて、第１ＭＲデータおよび第１平均データ各々に対して位相補正を実行する。処理回路１３１は、第２位相補正用データを用いて、第２ＭＲデータおよび第２平均データ各々に対して位相補正を実行する。本ステップの処理における位相補正により、第１ＭＲデータ、第２ＭＲデータ、第１平均データ、第２平均データ各々において、位相誤差がキャンセルされる。
【００８２】
（ステップＳｂ７）  
処理回路１３１は、画像生成機能１３１３により、位相補正後の第１平均データを用いて、位相補正後の第１ＭＲデータから位相情報を除去する。処理回路１３１は、位相補正後の第２平均データを用いて、位相補正後の第２ＭＲデータから位相情報を除去する。具体的には、処理回路１３１は、位相補正後の第１平均データにおける実成分と虚成分とを用いて、第１位相情報を計算する。次いで、処理回路１３１は、位相補正後の第１ＭＲデータから第１位相情報を取り除く。処理回路１３１は、位相補正後の第２平均データにおける実成分と虚成分とを用いて、第２位相情報を計算する。次いで、処理回路１３１は、位相補正後の第２ＭＲデータから第２位相情報を取り除く。以降の処理は、図３のステップＳａ６と同様なため、説明は省略する。なお、本ステップＳｂ７の後に続くステップＳａ６の処理において、処理回路１３１は、受信コイル１１７の感度マップを用いて、第１実画像および第２実画像に対して受信コイル１１７の感度ムラに対する補正を実行してもよい。また、ステップＳｂ１乃至ステップＳｂ７の処理およびステップＳｂ７の処理に続くステップＳａ６の処理は、適宜繰り返されてもよい。また、ステップＳｂ１乃至ステップＳｂ７の処理およびステップＳｂ７の処理に続くステップＳａ６の処理は、撮像対象部位において操作者が所望する複数のスライスに対応する複数の実画像が得られるまで、適宜繰り返されてもよい。
【００８３】
以上に述べた構成によれば、以下に示す効果を得ることができる。  
本実施形態に係るＭＲＩ装置１００によれば、第１スライスＳＬ１に対して第１ＩＲパルスＩＲ１を印加し、第１ＩＲパルスＩＲ１の印加後であって第１ＭＲデータの収集の直前に第２リファレンスデータを第２スライスＳＬ２において収集し、第１ＭＲデータを収集し、第１ＭＲデータの収集後に第１スポイラーパルスＳｐ１を第１スライスＳＬ１に印加し、第１スポイラーパルスＳｐ１の印加後に第２スライスＳＬ２において第２リファレンスデータを再度収集する、第１シーケンスＳ１を第１心周期ＣＣ１において実行することができる。次いで、本ＭＲＩ装置１００によれば、第２スライスＳＬ２に対して第２ＩＲパルスＩＲ２を印加し、第２ＩＲパルスＩＲ２の印加後であって第２ＭＲデータの収集の直前に第１リファレンスデータを第１スライスＳＬ１において収集し、第２ＭＲデータを収集し、第２ＭＲデータの収集後に第２スポイラーパルスＳｐ２を第２スライスＳＬ２に印加し、第２スポイラーパルスＳｐ２の印加後に第１スライスＳＬ１において再度第１リファレンスデータを収集する、第２シーケンスＳ２を第２心周期ＣＣ２で実行することができる。
【００８４】
以上のことから、本実施形態におけるＭＲＩ装置１００によれば、ＰＳＩＲ法に関する撮像において、撮像時間を短縮することができる。加えて、本ＭＲＩ装置１００によれば、第１収集シーケンスＭ１おける時相に近い第１平均データを用いて第１ＭＲデータを位相補正し、第２収集シーケンスＭ２おける時相に近い第２平均データを用いて第２ＭＲデータを位相補正することができるため、位相補正の精度が向上し、実画像の画質を向上させることができる。
【００８５】
また、本実施形態における変形例として、第１の実施形態のように、第１ＩＲパルスＩＲ１および第１スポイラーパルスＳｐ１を第１領域Ｒｅ１に印加し、第２ＩＲパルスＩＲ２および第２スポイラーパルスＳｐ２を第２領域Ｒｅ２に印加してもよい。また、本実施形態におけるさらなる変形例として、第１の実施形態の変形例のように、マルチバンド撮像が適用されてもよい。これらの変形例における処理内容及び効果は、第１の実施形態および第１の実施形態の変形例に準拠するため、説明は省略する。
【００８６】
（第３の実施形態）  
第１の実施形態、応用例、第２の実施形態との相違は、図８に示すように、心周期およびスライスごとに、ＭＲデータの収集とリファレンスデータの収集とをずらすことにある。図８は、本実施形態において実行されるＰＳＩＲ法に関するシーケンスの一例を示す図である。図８における（ａ）は、心電計により取得された被検体Ｐの心電波形を示している。図８における（ｂ）は、第１ＩＲパルスＩＲ１と第２ＩＲパルスＩＲ２とを被検体Ｐに印加するタイミングを示している。図８における（ｃ）は、第１スライスＳＬ１における縦磁化Ｍｚ１の時間変化を示している。図８における（ｄ）は、第２スライスＳＬ２における縦磁化Ｍｚ２の時間変化を示している。図８における（ｅ）は、第１スライスＳＬ１および第２スライスＳＬ２から離れた第３スライスにおける縦磁化Ｍｚ３の時間変化を示している。
【００８７】
図８に示すように、第１シーケンスＳ１は、第１ＩＲパルスＩＲ１と、第１収集シーケンスＭ１と、第１スポイラーパルスＳｐ１とを有する。第２シーケンスＳ２は、第２ＩＲパルスＩＲ２と、第２収集シーケンスＭ２と、第２スポイラーパルスＳｐ２と、第１リファレンス収集シーケンスＲ１とを有する。第３シーケンスＳ３は、第３ＩＲパルスＩＲ３と、第３収集シーケンスＭ３と、第３スポイラーパルスＳｐ３と、第２リファレンス収集シーケンスＲ２とを有する。第４シーケンスＳ４は、第３リファレンス収集シーケンスＲ３を有する。
【００８８】
本実施形態における撮像対象のスライス数は、図８に示すように３として説明するが、このスライス数に限定されない。本実施形態における第１ＩＲパルスＩＲ１および第１スポイラーパルスＳｐ１は、第２の実施形態と同様に第１スライスＳＬ１に選択的に印加される。本実施形態における第２ＩＲパルスＩＲ２および第２スポイラーパルスＳｐ２は、第２の実施形態と同様に第２スライスＳＬ２に選択的に印加される。
【００８９】
本実施形態における第３ＩＲパルスＩＲ３は、第３スライスにおける核磁化を反転させるＲＦパルスである。第３ＩＲパルスＩＲ３は、第３心周期ＣＣ３において、Ｒ波から所定時間が経過した時刻ｔ３で、第３スライスに選択的に印加される。
【００９０】
第３収集シーケンスＭ３は、第３心周期ＣＣ３における第３ＩＲパルスＩＲ３の印加後に、第３スライスに関する画像用のＭＲデータ（以下、第３ＭＲデータと呼ぶ）を収集するシーケンスである。第３収集シーケンスＭ３は、心周期およびスライス位置が異なることを除いて第１、第２収集シーケンス（Ｍ１、Ｍ２）と同様なシーケンスである。
【００９１】
第３スポイラーパルスＳｐ３は、第３スライスにおける核磁化を回復させるスポイラーパルスである。第３スポイラーパルスＳｐ３は、第３心周期ＣＣ３における第３収集シーケンスＭ３の実行後に、第３スライスに選択的に印加される。第３スポイラーパルスＳｐ３は、心周期および印加領域が異なることを除いて第１スポイラーパルスＳｐ１および第２スポイラーパルスＳｐ２と同様なパルスである。
【００９２】
本実施形態における第１乃至第３リファレンス収集シーケンス（Ｒ１、Ｒ２、Ｒ３）は、第１、第２収集シーケンス（Ｍ１、Ｍ２）におけるフリップ角（以下、第１フリップ角と呼ぶ）以上の第２フリップ角を用いて実行される。例えば、第１乃至第３リファレンス収集シーケンス（Ｒ１、Ｒ２、Ｒ３）において用いられる第２フリップ角は、第１の実施形態および第２の実施形態における第１、第２リファレンス収集シーケンスにおけるフリップ角より大きい角度に設定される。第１フリップ角は、第１乃至第３シーケンス（Ｓ１、Ｓ２、Ｓ３）とともに記憶装置１２９に記憶され、第２フリップ角は、第２乃至第４シーケンス（Ｓ２、Ｓ３、Ｓ４）とともに記憶装置１２９に記憶される。
【００９３】
第２リファレンス収集シーケンスＲ２は、第３心周期ＣＣ３における第３スポイラーパルスＳｐ３の印加後に、第２スライスにおいて第２リファレンスデータを収集するシーケンスである。第２リファレンス収集シーケンスＲ２は、心周期およびスライス位置が異なることを除いて第１リファレンス収集シーケンスＲ１と同様なシーケンスである。
【００９４】
第３リファレンス収集シーケンスＲ３は、第３心周期ＣＣ４に続く第４心周期ＣＣ３のうちスポイラーパルス（第１乃至第３スポイラーパルス）の印加の直後の心時相において、第２フリップ角を用いて、第３スライスにおいてリファレンスデータ（以下、第３リファレンスデータと呼ぶ）を収集するシーケンスである。第３リファレンスデータは、第３ＭＲデータおよび第３リファレンスデータの位相補正に用いられる。第３リファレンス収集シーケンスＲ３は、心周期およびスライス位置が異なることを除いて第１、第２リファレンス収集シーケンス（Ｒ１、Ｒ２）と同様なシーケンスである。
【００９５】
（動作）  
図８および図９を参照して、本実施形態における動作の処理手順について説明する。図９は、本実施形態における動作の処理手順の一例を示す図である。本動作において、第１の実施形態と相違する処理について説明する。
【００９６】
（ステップＳｃ１）  
シーケンス制御回路１２１は、第１心周期ＣＣ１における第１シーケンスＳ１の実行により、第１スライスＳＬ１への第１ＩＲパルスＩＲ１の印加後、第１フリップ角を用いて第１ＭＲデータを収集する。シーケンス制御回路１２１は、第１ＭＲデータを処理回路１３１へ出力する。
【００９７】
（ステップＳｃ２）  
シーケンス制御回路１２１は、第２心周期ＣＣ２における第２シーケンスＳ２の実行により、第１フリップ角を用いて第２ＭＲデータを収集し、第１フリップ角より大きい第２フリップ角を用いて第１リファレンスデータを収集する。シーケンス制御回路１２１は、第２ＭＲデータと第１リファレンスデータとを処理回路１３１へ出力する。
【００９８】
（ステップＳｃ３）  
シーケンス制御回路１２１は、第３心周期ＣＣ３における第３シーケンスの実行により、第１フリップ角を用いて第３ＭＲデータを収集し、第２フリップ角を用いて第２リファレンスデータを収集する。具体的には、図８に示すように、シーケンス制御回路１２１は、第３心周期ＣＣ３における最初のＲ波（または第２心周期ＣＣ２における最後のＲ波）の検出時刻から所定時間経過後の時刻ｔ３において第３ＩＲパルスＩＲ３を第３スライスに印加するために、送信回路１１３を制御する。
【００９９】
図８の（ｄ）に示すように、シーケンス制御回路１２１は、第３心周期ＣＣ３の略拡張期において第３収集シーケンスＭ３を実行し、第３スライスに関する第３ＭＲデータを収集する。第３ＭＲデータの収集後に、シーケンス制御回路１２１は、第３スライスに対して第３スポイラーパルスＳｐ３を印加するために、送信回路１１３と傾斜磁場電源１０５とのうち少なくとも一方を制御する。第３スポイラーパルスＳｐ３の印加後、シーケンス制御回路１２１は、第２リファレンス収集シーケンスＲ２を実行し、第２リファレンスデータを収集する。シーケンス制御回路１２１は、第３ＭＲデータと第２リファレンスデータとを処理回路１３１へ出力する。
【０１００】
（ステップＳｃ４）  
シーケンス制御回路１２１は、第４心周期ＣＣ４における第４シーケンスＳ４の実行により、第２フリップ角を用いて第３リファレンスデータを収集する。具体的には、シーケンス制御回路１２１は、第４心周期ＣＣ４のうち第１乃至第３スポイラーパルス（Ｓｐ１、Ｓｐ２、Ｓｐ３）の印加の直後の心時相において、第３リファレンス収集シーケンスＲ３を実行し、第３リファレンスデータを収集する。シーケンス制御回路１２１は、第３リファレンスデータを処理回路１３１へ出力する。
【０１０１】
処理回路１３１は、画像生成機能１３１３により、図３におけるステップＳａ３乃至Ｓａ６にかかる処理を第１スライスＳＬ１、第２スライスＳＬ２、および第３スライス毎に実行し、第１スライスＳＬ１、第２スライスＳＬ２、および第３スライス各々の実画像を生成する。
【０１０２】
なお、ステップＳｃ１乃至ステップＳｃ４の処理およびスライス各々の実画像の生成処理は、適宜繰り返されてもよい。このとき、第４シーケンスＳ４は、第１シーケンスＳ１に組み込まれてもよい。また、ステップＳｃ１乃至ステップＳｃ４の処理およびスライス各々の実画像の生成処理は、撮像対象部位において操作者が所望する複数のスライスに対応する複数の実画像が得られるまで、適宜繰り返されてもよい。このとき、第４シーケンスには、第１乃至第３スライスとは異なるスライスに関するＩＲパルス、収集シーケンス、スポイラーパルスが組み込まれてもよい。
【０１０３】
以上に述べた構成によれば、以下に示す効果を得ることができる。  
本実施形態に係るＭＲＩ装置１００によれば、第１スライスＳＬ１に対して第１ＩＲパルスＩＲ１を印加し、第１ＩＲパルスＩＲ１の印加後に第１フリップ角を用いて第１スライスＳＬ１に関する第１ＭＲデータを収集し、第１ＭＲデータの収集後に第１スポイラーパルスＳｐ１を第１スライスＳＬ１に印加する、第１シーケンスＳ１を第１心周期ＣＣ１において実行することができる。次いで、本ＭＲＩ装置１００は、第２スライスＳＬ２に対して第２ＩＲパルスＩＲ２を印加し、第２ＩＲパルスＩＲ２の印加後に第１フリップ角を用いて第２ＭＲデータを収集し、第２ＭＲデータの収集後に第２ＩＲパルスＩＲ２を第２スライスＳＬ２に印加し、第２ＩＲパルスＩＲ２の印加後に第２フリップ角を用いて第１リファレンスデータを収集する、第２シーケンスＳ２を第２心周期ＣＣ２で実行することができる。次いで、本ＭＲＩ装置１００は、第３スライスに対して第３ＩＲパルスＩＲ３を印加し、第３ＩＲパルスＩＲ３の印加後に第１フリップ角を用いて第３ＭＲデータを収集し、第３ＭＲデータの収集後に第３スポイラーパルスＳｐ３を第３スライスに印加し、第３スポイラーパルスＳｐ３の印加後に第２フリップ角を用いて第２リファレンスデータを収集する、第３シーケンスＳ３を第３心周期ＣＣ３で実行することができる。次いで、本ＭＲＩ装置１００は、第４心周期ＣＣ４のうち第３スポイラーパルスＩＲ３の印加の直後の心時相において、第２フリップ角を用いて第３リファレンスデータ収集する、第４シーケンスＳ４を実行することができる。
【０１０４】
以上のことから、本実施形態におけるＭＲＩ装置１００によれば、ＰＳＩＲ法に関する撮像において、撮像時間を短縮することができる。加えて、本ＭＲＩ装置１００によれば、ステップＳｃ１乃至ステップＳｃ４の処理およびスライス各々の実画像の生成処理を繰り返す場合、同一スライスにおいてリファレンス収集シーケンスからＭＲデータの収集シーケンスまで、１心周期に亘る１心拍分の時間間隔を設けることができる。これにより、リファレンス収集シーケンスの実行直後の縦磁化を熱平衡状態に回復させることができる。このため、本ＭＲＩ装置１００によれば、第１乃至第３リファレンス収集シーケンス（Ｒ１、Ｒ２、Ｒ３）において、第１フリップ角以上の第２フリップ角、例えば、第１、第２の実施形態におけフリップ角より大きい第２フリップ角を用いて第１乃至第３リファレンスデータを収集することができる。ＭＲ画像におけるＳＮＲは、フリップ角が大きいほど大きくなるため、本実施形態のＭＲＩ装置１００によれば、位相補正に用いられる第１乃至第３位相補正用データのＳＮＲを向上させることができる。これにより、本ＭＲＩ装置１００によれば、位相補正の精度が向上し、実画像の画質を向上させることができる。
【０１０５】
また、本実施形態における変形例として、第１の実施形態のように、第１ＩＲパルスＩＲ１および第１スポイラーパルスＳｐ１を第１領域Ｒｅ１に印加し、第２ＩＲパルスＩＲ２および第２スポイラーパルスＳｐ２を第２領域Ｒｅ２に印加し、第１領域Ｒｅ１および第２領域Ｒｅ２とは異なり第３スライスを含む第３領域に対して第３ＩＲパルスＩＲ３および第３スポイラーパルスＳｐ３を印加してもよい。加えて、撮像対象のスライスが４スライスである場合、ＩＲパルスによる領域間の干渉を避けるために、スライスを包含する領域を挟む２つの領域について、順にＩＲパルスを印加し、ＭＲデータを収集してもよい。また、本実施形態におけるさらなる変形例として、第１の実施形態の変形例のように、マルチバンド撮像が本実施形態に適用されてもよい。
【０１０６】
また、本実施形態における変形例として、第２の実施形態のように、第２ＭＲデータの収集の直前に第１リファレンスデータを第１スライスＳＬ１においてさらに収集し、第３ＭＲデータの収集の直前に第２リファレンスデータを第２スライスＳＬ２においてさらに収集し、第４心周期ＣＣ４のうち第３ＭＲデータの収集タイミングの直前の心時相において、第３リファレンスデータを第３スライスにおいてさらに収集してもよい。これらの変形例における処理内容及び効果は、第１の実施形態および第１の実施形態の変形例、および第２の実施形態に準拠するため、説明は省略する。
【０１０７】
また、第１、第２の実施形態の変形例として、リファレンス収集シーケンスの直後にスポイラーパルスが実施されてもよい。このとき、いずれの実施形態および変形例等においても、第２フリップ角を第１フリップ角以上にすることができ、位相補正の精度が向上し、実画像の画質を向上させることができる。
【０１０８】
以上述べた実施形態および少なくとも一つの変形例等のＭＲＩ装置１００によれば、ＰＳＩＲ法に関する撮像において、撮像時間を短縮することができる。
【０１０９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１０】
１００…磁気共鳴イメージング装置、１０１…静磁場磁石、１０３…傾斜磁場コイル、１０５…傾斜磁場電源、１０７…寝台、１０９…寝台制御回路、１１１…ボア、１１３…送信回路、１１５…送信コイル、１１７…受信コイル、１１９…受信回路、１２１…シーケンス制御回路、１２３…バス、１２５…インタフェース、１２７…ディスプレイ、１２９…記憶装置、１３１…処理回路、１０７１…天板、１３１１…システム制御機能、１３１３…画像生成機能、ＣＣ１…第１心周期、ＣＣ２…第２心周期、ＣＣ３…第３心周期、ＣＣ４…第４心周期、ＩＲ１…第１ＩＲパルス、ＩＲ２…第２ＩＲパルス、ＩＲ３…第３ＩＲパルス、Ｍ１…第１収集シーケンス、Ｍ２…第２収集シーケンス、Ｍ３…第３収集シーケンス、Ｒ１…第１リファレンス収集シーケンス、Ｒ１−１…第１−１リファレンス収集シーケンス、Ｒ１−２…第１−２リファレンス収集シーケンス、Ｒ２…第２リファレンス収集シーケンス、Ｒ２−１…第２−１リファレンス収集シーケンス、Ｒ２−２…第２−２リファレンス収集シーケンス、Ｒ３…第３リファレンス収集シーケンス、Ｒｅ１…第１領域、Ｒｅ２…第２領域、Ｓ１…第１シーケンス、Ｓ２…第２シーケンス、Ｓ３…第３シーケンス、Ｓ４…第４シーケンス、ＳＬ１…第１スライス、ＳＬ２…第２スライス、ＳＬ１−１、ＳＬ１−２…第１スライスに包含されるスライス、ＳＬ２−１、ＳＬ２−２…第２スライスに包含されるスライス、Ｓｐ１…第１スポイラーパルス、Ｓｐ２…第２スポイラーパルス、Ｓｐ３…第３スポイラーパルス。
【図１】
2019072081.tif 000003
【図２】
2019072081.tif 000004
【図３】
2019072081.tif 000005
【図４】
2019072081.tif 000006
【図５】
2019072081.tif 000007
【図６】
2019072081.tif 000008
【図７】
2019072081.tif 000009
【図８】
2019072081.tif 000010
【図９】
2019072081.tif 000011